(57)【要約】      （修正有）【課題】気化器の予熱動作の待機時間に応じて、気化器の予熱温度を変化させる温風暖房装置を提供する。【解決手段】予熱スイッチが操作されてから、運転スイッチが操作されるまでの待機時間を、１０回以上記憶して待機時間の平均値μと、標準偏差σを統計値算出手段で算出し、待機時間がμ以上であると判断したら、気化器２４の予熱温度を温度低下率Ｙで低下させ、待機時間がμ＋σ以上であると判断したら、気化器２４の予熱温度を温度低下率Ｘで低下させるので、予熱スイッチを操作してから運転スイッチを操作しない状態が継続しても、経過した待機時間に応じて、気化器２４の予熱温度が低下するため、予熱動作中の気化ヒータ２５での消費電力を抑制することができる。【選択図】図７
2016090065.tif 000002
【特許請求の範囲】
【請求項１】
器具本体と、該器具本体内にあり燃油が気化する気化器と、該気化器に設置され通電されることで前記気化器を加熱する気化ヒータと、前記気化器で気化された燃油に点火して燃焼する燃焼部と、前記気化ヒータへ通電して前記気化器を所定の予熱温度で予熱する予熱動作を指示する予熱スイッチと、前記燃焼部で燃焼させる暖房運転の開始を指示する運転スイッチと、該運転スイッチが操作されたら前記気化ヒータに通電して前記気化器を加熱し所定の点火温度まで到達したら前記燃焼部に点火して暖房運転を開始する制御部とを備え、
前記制御部には、前記予熱スイッチが操作されてから前記運転スイッチが操作されるまでの待機時間を所定回数記憶して統計値を算出する統計値算出手段と、該統計値算出手段で算出した統計値に応じた所定時間を算出する時間算出手段とが備えられ、前記制御部は、前記待機時間が前記時間算出手段で算出した所定時間を経過したと判断したら、前記所定の予熱温度を低下させることを特徴とする温風暖房装置。
【請求項２】
前記統計値算出手段は前記待機時間を所定回数記憶して統計値としての平均値又は平均値と標準偏差とを算出し、前記時間算出手段は前記統計値算出手段で算出した平均値又は平均値と標準偏差とに基づいた所定時間を算出して、前記制御部は、前記待機時間が前記時間算出手段で算出した所定時間を経過したと判断したら、前記所定の予熱温度を低下させることを特徴とする請求項１に記載の温風暖房装置。
【請求項３】
前記統計値算出手段は前記待機時間を所定回数記憶して統計値としての平均値又は平均値と標準偏差とを算出し、前記時間算出手段は前記統計値算出手段で算出した平均値又は平均値と標準偏差とに基づいた所定時間を算出して、前記制御部は、前記待機時間が前記時間算出手段で算出した所定時間を経過したと判断したら、前記所定の予熱温度を徐々に低下させることを特徴とする請求項１に記載の温風暖房装置。
【請求項４】
前記統計値算出手段は前記待機時間を所定回数記憶して統計値としての平均値又は平均値と標準偏差とを算出し、前記時間算出手段は前記統計値算出手段で算出した平均値又は平均値と標準偏差とに基づいた所定時間を算出して、前記制御部は、前記時間算出手段で算出した平均値に基づいた所定時間が経過したら低下させる前記所定の予熱温度の温度低下率よりも、前記時間算出手段で算出した平均値と標準偏差とに基づいた所定時間が経過したら低下させる前記所定の予熱温度の温度低下率の方が大きくなるようにしたことを特徴とする請求項１に記載の温風暖房装置。
【請求項５】
前記統計値算出手段は前記待機時間を所定回数記憶して統計値としての平均値と標準偏差とを算出し、前記制御部は、前記待機時間が前記統計値算出手段で算出した平均値に標準偏差の約３倍を加えた値以上か、もしくは所定の通電停止時間以上かのいずれか一方を満たしていれば、前記気化ヒータへの通電を停止させることを特徴とした請求項１から４のいすれか１項に記載の温風暖房装置。
【発明の詳細な説明】
【技術分野】
【０００１】
この発明は、燃油を燃焼させて室内の暖房をおこなう温風暖房装置に関するものである。
【背景技術】
【０００２】
従来、この種のものにおいて、運転スイッチを操作して暖房運転を開始する前に気化ヒータで気化器を所定の予熱温度で予熱して暖房運転の開始時間を早める予熱動作を実施する予熱スイッチを操作することで、使用者が運転スイッチを操作した後に燃焼部で素早く点火を行い暖房運転が開始可能となるため、運転スイッチを操作した後に素早く部屋内の温度を上昇させる温風暖房装置があった。（例えば、特許文献１）
【先行技術文献】
【特許文献】
【０００３】
【特許文献１】特許２５８９２０６号公報
【発明の概要】
【発明が解決しようとする課題】
【０００４】
しかし、この従来のものでは、使用者が予熱スイッチを操作して予熱動作を実施した後に運転スイッチが操作されず長時間経過した場合、予熱動作による気化ヒータへの通電が継続して電力を消費し続けるため、改善の余地があった。
【課題を解決するための手段】
【０００５】
上記課題を解決するために、本発明の請求項１では、器具本体と、該器具本体内にあり燃油が気化する気化器と、該気化器に設置され通電されることで前記気化器を加熱する気化ヒータと、前記気化器で気化された燃油に点火して燃焼する燃焼部と、前記気化ヒータへ通電して前記気化器を所定の予熱温度で予熱する予熱動作を指示する予熱スイッチと、前記燃焼部で燃焼させる暖房運転の開始を指示する運転スイッチと、該運転スイッチが操作されたら前記気化ヒータに通電して前記気化器を加熱し所定の点火温度まで到達したら前記燃焼部に点火して暖房運転を開始する制御部とを備え、
前記制御部には、前記予熱スイッチが操作されてから前記運転スイッチが操作されるまでの待機時間を所定回数記憶して統計値を算出する統計値算出手段と、該統計値算出手段で算出した統計値に応じた所定時間を算出する時間算出手段とが備えられ、前記制御部は、前記待機時間が前記時間算出手段で算出した所定時間を経過したと判断したら、前記所定の予熱温度を低下させることを特徴とする。
【０００６】
また、請求項２では、前記統計値算出手段は前記待機時間を所定回数記憶して統計値としての平均値又は平均値と標準偏差とを算出し、前記時間算出手段は前記統計値算出手段で算出した平均値又は平均値と標準偏差とに基づいた所定時間を算出して、前記制御部は、前記待機時間が前記時間算出手段で算出した所定時間を経過したと判断したら、前記所定の予熱温度を低下させることを特徴とする。
【０００７】
また、請求項３では、前記統計値算出手段は前記待機時間を所定回数記憶して統計値としての平均値又は平均値と標準偏差とを算出し、前記時間算出手段は前記統計値算出手段で算出した平均値又は平均値と標準偏差とに基づいた所定時間を算出して、前記制御部は、前記待機時間が前記時間算出手段で算出した所定時間を経過したと判断したら、前記所定の予熱温度を徐々に低下させることを特徴とする。
【０００８】
また、請求項４では、前記統計値算出手段は前記待機時間を所定回数記憶して統計値としての平均値又は平均値と標準偏差とを算出し、前記時間算出手段は前記統計値算出手段で算出した平均値又は平均値と標準偏差とに基づいた所定時間を算出して、前記制御部は、前記時間算出手段で算出した平均値に基づいた所定時間が経過したら低下させる前記所定の予熱温度の温度低下率よりも、前記時間算出手段で算出した平均値と標準偏差とに基づいた所定時間が経過したら低下させる前記所定の予熱温度の温度低下率の方が大きくなるようにしたことを特徴とする。
【０００９】
また、請求項５では、前記統計値算出手段は前記待機時間を所定回数記憶して統計値としての平均値と標準偏差とを算出し、前記制御部は、前記待機時間が前記統計値算出手段で算出した平均値に標準偏差の約３倍を加えた値以上か、もしくは所定の通電停止時間以上かのいずれか一方を満たしていれば、前記気化ヒータへの通電を停止させることを特徴とした。
【発明の効果】
【００１０】
この発明によれば、待機時間が時間算出手段で算出した所定時間を経過したと判断したら、所定の予熱温度を低下させるので、予熱スイッチを操作して予熱動作を実行した後に運転スイッチが操作されなくても、待機時間の統計値に応じた所定時間が経過したと判断したら気化ヒータの所定の予熱温度を低下させるため、予熱スイッチが操作された後に頻繁に運転スイッチが操作される時間までは、運転スイッチが操作されたら直ぐに暖房運転が開始できると共に、頻繁に運転スイッチが操作される時間が経過した後は気化ヒータでの消費電力を抑制し、使い勝手を損なうことなく省エネ化を図ることができる
【００１１】
また、待機時間が統計値算出手段で算出した平均値又は平均値と標準偏差とに基づき時間算出手段で算出した所定時間を経過したと判断したら、所定の予熱温度を低下させるので、予熱スイッチを操作した後に運転スイッチが操作される可能性が低くなったら気化ヒータの所定の予熱温度を低下させるため、気化ヒータでの消費電力を抑制し節電効果を高めることができる。
【００１２】
また、待機時間が統計値算出手段で算出した平均値又は平均値と標準偏差とに基づき時間算出手段で算出した所定時間を経過したと判断したら、所定の予熱温度を徐々に低下させるので、予熱スイッチを操作した後に運転スイッチが操作される可能性が低くなる毎に、気化ヒータの所定の予熱温度を低下させるため、気化ヒータでの消費電力を抑制し節電効果をより高めることができる。
【００１３】
また、時間算出手段で算出した平均値に基づいた所定時間が経過したら低下させる所定の予熱温度の温度低下率よりも、時間算出手段で算出した平均値と標準偏差とに基づいた所定時間が経過したら低下させる所定の予熱温度の温度低下率の方が大きくなるようにしたので、予熱動作後に運転スイッチが操作される可能性が高い時は温度低下率を小さくして暖房運転の開始時間を早め、予熱動作後に運転スイッチが操作される可能性が低い時は温度低下率を大きくして気化ヒータでの消費電力を抑制し節電効果を高めることができる。
【００１４】
また、待機時間が統計値算出手段で算出した平均値に標準偏差の約３倍を加えた値以上か、もしくは所定の通電停止時間以上かのいずれか一方を満たしていれば、気化ヒータへの通電を停止させるので、予熱動作後に運転スイッチが操作される可能性が低い時は気化ヒータへの通電を停止させるため、気化ヒータでの消費電力を抑制し節電効果を高めることができる。
【図面の簡単な説明】
【００１５】
【図１】この発明の一実施形態を示す燃焼機器の正面斜視図
【図２】同実施形態の断面図
【図３】同実施形態の燃焼系を説明する図
【図４】同実施形態の操作部を説明する図
【図５】同実施形態の制御ブロック図
【図６】同実施形態の予熱動作を説明するフローチャート
【図７】同実施形態の予熱動作時に気化器の予熱温度を変化させる制御を説明するフローチャート
【図８】同実施形態の経過時間における気化器の予熱温度の変化を説明する図
【発明を実施するための形態】
【００１６】
次に、この発明の一実施形態を図に基づいて説明する。
１は器具本体であり、２は器具本体１の上面を構成する上面板、３は上面板２にあり各種スイッチで操作を行う操作部、４は操作部３で行った操作内容等を液晶画面に表示する液晶パネル、５は器具本体１の正面側にあり温風を案内するルーバー６が設置された温風吹出口、７は家庭用コンセントに差し込むことで器具本体１に電気を供給する電源プラグである。
【００１７】
８は背面の温風取入口９にファンガード１０を介して取り付けられた対流ファン、１１は前記温風取入口９と温風吹出口６とを連通する送風ボックス、１２は前記送風ボックス１１内にバーナヘッド１３を突出して設けられた燃焼部としてのバーナ、１４は前記バーナヘッド１３を囲堯して燃焼空間を形成する燃焼筒、１５は前記送風ボックス１１内で燃焼筒１４の真上に配設された遮熱板である。
【００１８】
１６は灯油などの燃油を供給する給油タンク、１７は給油タンク１６から供給された燃油を所定量溜める固定タンク、１８は固定タンク１７内の燃油量をフロートで測定する油量センサ、１９は固定タンク１７内の燃油を送油管２０及び送油ノズル２１を介してバーナ１２へ圧送する電磁ポンプ、２２は燃焼用空気を送風管２３を介して送風する燃焼ファンである。
【００１９】
２４は燃油を気化する気化器、２５は通電することで気化器２４を燃油が気化可能な所定の点火温度まで加熱する気化ヒータ、２６は気化器２４の温度を検出する気化温度センサ、２７はバーナヘッド１３の外周に設けられた炎孔網、２８は燃焼熱を気化器２４へ回収する熱回収リング、２９は気化ガスにスパーク放電して点火する点火器、３０は炎の状態を監視するフレームロッドである。
【００２０】
操作部３には、バーナ１２での燃焼による暖房運転の開始と停止を指示する運転スイッチ３１と、所定の暖房運転時間が経過した後も続けて暖房運転を実行する延長スイッチ３２と、気化ヒータ２５に通電することで気化器２４を所定の予熱温度で予熱し運転スイッチ３１操作後に数秒で暖房運転を可能とする予熱動作を開始させる予熱スイッチ３３と、現在時刻や所定の時刻になると暖房運転を開始するタイマー運転の設定を可能とする時刻設定スイッチ３４と、暖房運転での設定温度や現在時刻を調節する数値調節スイッチ３５と、子どものいたずら防止のため運転スイッチ３１の停止指示以外の操作を無効にするチャイルドロックスイッチ３６と、前記時刻設定スイッチ３４で暖房運転の開始時刻を二通り設定可能なタイマー運転スイッチ３７と、最大火力を４０％抑え設定温度が２１℃以上の際、強制的に２０℃まで下げて消費電力を低下させたエコ運転を実行するエコスイッチ３８とが備えられており、各種スイッチを操作して暖房運転の制御を変更する。
【００２１】
更に、運転スイッチ３１が操作され暖房運転の開始が指示されると点灯する運転ランプ３９と、自動消火する１５分前になると点滅する延長ランプ４０と、予熱スイッチ３３が操作されると点灯する予熱ランプ４１と、二通りの中で操作したタイマー運転スイッチ３７が点灯するタイマー運転ランプ４２と、エコスイッチ３８が操作されエコ運転が開始されると点灯するエコランプ４３とが操作部３に備わっており、各種スイッチ操作の有無を視覚で簡単に確認できるものである。
【００２２】
４４は器具本体１の制御を行うマイコンで構成された制御部であり、該制御部４４は、予熱スイッチ３３が操作されＯＮ状態になってから運転スイッチ３１が操作されＯＮ状態になるまでの待機時間を記憶する記憶手段４５と、該記憶手段４５で記憶された待機時間に基づいた平均値や標準偏差等の統計値を算出する統計値算出手段４６と、該統計値算出手段４６で算出した各統計値に応じた所定時間を算出する時間算出手段４７とを備えている。
【００２３】
次に、暖房運転を開始させる運転スイッチ３１を操作する前に予熱スイッチ３３を操作して気化器２４を所定の予熱温度で予熱し点火時間を早める動作を行った時の制御を図６で示すフローチャートを用いて説明する。
まず、制御部４４は、予熱スイッチ３３が操作されてＯＮ状態になったか判断し（ステップＳ１０１）、予熱スイッチ３３が操作されＯＮ状態になっていれば気化ヒータ２５への通電を開始し予熱ランプ４１を点灯して気化器２４を所定の予熱温度で予熱する予熱動作を開始し（ステップＳ１０２）、予熱スイッチ３３が操作されていなければステップＳ１０１の判断を繰り返す。
【００２４】
ステップＳ１０２で気化ヒータ２５への通電を開始したら、制御部４４は、運転スイッチ３１が操作されＯＮ状態になったか判断し（ステップＳ１０３）、運転スイッチ３１が操作されＯＮ状態になっていれば、予熱スイッチ３３がＯＮ状態になってから運転スイッチ３１がＯＮ状態になるまでの待機時間のデータを過去に記憶した最も古い待機時間のデータを消去した上で上書きし記憶手段４５で記憶することで待機時間のデータを最新値に更新して（ステップＳ１０４）、気化温度センサ２６で所定の点火開始温度を検知したら点火器２９に通電して気化ガスに着火し、バーナ１２での燃焼を行う暖房運転を開始する（ステップＳ１０５）。
【００２５】
前記ステップＳ１０３で運転スイッチ３１が操作されていないと判断したら、制御部４４は、予熱スイッチ３３を操作してＯＮ状態にしてから経過した時間が所定の通電停止時間である１８時間未満であるか判断し（ステップＳ１０６）、予熱スイッチ３３を操作してから経過した時間が１８時間未満であれば、記憶手段４５で記憶した待機時間の記憶回数が所定回数である１０回以上か判断し（ステップＳ１０７）、待機時間の記憶回数が１０回以上であれば次のステップに進み、待機時間の記憶回数が１０回未満であれば、前記ステップＳ１０３で運転スイッチ３１が操作されＯＮ状態になったかの判断を繰り返す。
【００２６】
前記ステップＳ１０６で予熱スイッチ３３を操作してから経過した時間が１８時間以上だと判断したら、制御部４４は、気化ヒータ２５への通電を停止し予熱ランプ４１を消灯して予熱動作を終了する（ステップＳ１０８）。
【００２７】
次に、待機時間によって気化ヒータ２５の通電量を変化させる制御について図７のフローチャートに基づいて説明する。
前記ステップＳ１０７で記憶手段４５で記憶した待機時間記憶回数が１０回以上だと判断したら、制御部４４は、過去１０回の待機時間の記憶値から待機時間の平均値μと標準偏差σを統計値算出手段４６で算出し（ステップＳ２０１）、現在の待機時間が統計値算出手段４６で算出した平均値μに標準偏差σの３倍の値を加算した時間（μ＋３σ）以上か判断して（ステップＳ２０２）、現在の待機時間がμ＋３σ以上だと判断したら、気化ヒータ２５の通電を停止して予熱ランプ４１を消灯することで、気化器２４の予熱動作を終了する（ステップＳ２０３）。
【００２８】
ステップＳ２０２で現在の待機時間がμ＋３σ未満だと判断したら、制御部４４は、現在の待機時間が時間算出手段４７で算出した所定時間である平均値μに標準偏差σを加えた値（μ＋σ）以上か判断して（ステップＳ２０４）、現在の待機時間がμ＋σ以上だと判断したら、所定の予熱温度が温度低下率Ｘで低下するよう気化ヒータ２５を制御し、予熱ランプ４１を点滅させて予熱温度が低下ていることを報知する（ステップＳ２０５）。
【００２９】
前記ステップＳ２０４で現在の待機時間がμ＋σ未満であると判断したら、制御部４４は、現在の待機時間が時間算出手段４７で算出した所定時間である平均値μ以上であるか判断して（ステップＳ２０６）、現在の待機時間がμ以上だと判断したら、所定の予熱温度が温度低下率Ｙで低下するよう気化ヒータ２５を制御し、予熱ランプ４１を点滅させて予熱温度が低下していることを報知する（ステップＳ２０７）。なお、前記減少率Ｘ、Ｙには０＜Ｙ＜Ｘの関係が成り立つ数値を代入する。
【００３０】
前記ステップＳ２０５または前記ステップＳ２０６で所定の予熱温度をＸ、Ｙのいずれかの温度低下率で減少させ予熱ランプ４１を点滅させたら、制御部４４は、気化器２４の予熱温度が最低予熱温度に達したか判断し（ステップＳ２０８）、気化器２４の予熱温度が最低予熱温度に達していれば、最低予熱温度で継続して予熱するよう気化ヒータ２５を制御する（ステップＳ２０９）。
【００３１】
前記ステップＳ２０６で現在の待機時間が平均値μ未満であると判断したか、前記ステップＳ２０８で気化器２４の予熱温度が最低予熱温度に達していなかったか、前記ステップＳ２０９で気化器２４を最低予熱温度で継続して予熱したら、制御部４４は、前記ステップＳ１０３に進んで運転スイッチ３１が操作されＯＮ状態になったか判断する。
【００３２】
ここで、前記ステップＳ２０５での温度低下率Ｘと、前記ステップＳ２０７での温度低下率Ｙとの関係について図８を用いて説明する。
まず、制御部４４は、予熱スイッチ３３が操作されたら気化器２４を所定の予熱温度である約１７０℃となるように気化ヒータ２５のＯＮ／ＯＦＦ状態を可変させて加熱する。そして、制御部４４は、予熱スイッチ３３が操作された後の待機時間がμ以上になったと判断したら、図８の（１）の実線で示すように、温度低下率Ｙで気化器２４の予熱温度を低下させ、予熱スイッチ３３が操作された後の待機時間がμ＋σ以上になったと判断したら温度低下率Ｘで気化器２４の予熱温度を減少させる。この時、予熱スイッチ３３が操作された後に運転スイッチ３１が操作され暖房運転が開始される可能性の高さを考慮し、０＜Ｙ＜Ｘという関係にしてμからμ＋σまでの経過時間における温度低下率よりもμ＋σ以降の温度低下率を大きくした。これにより、予熱スイッチ３３が操作された後に運転スイッチ３１が操作される可能性の高いμからμ＋σまでの時間では気化器２４の温度低下が緩やかなので、運転スイッチ３１が操作された時に素早く暖房運転を開始することができ、予熱スイッチ３３が操作された後に運転スイッチ３１が操作される可能性が低いμ＋σ以降の時間では気化器２４の温度低下が急なので、気化ヒータ２５の通電による消費電力を抑制することができる。
【００３３】
また、予熱スイッチ３３が操作されてから運転スイッチ３１が操作されるまでの待機時間がμ＋σ以上となって温度低下率Ｘで気化器２４の予熱温度を低下させ続け、予熱温度が最低予熱温度（例えば、４０℃）に到達したら、制御部４４は、温度低下率Ｘで気化器２４の予熱温度を低下させる制御を停止し、予熱温度を４０℃に維持する。そして、制御部４４は、前記待機時間がμ＋３σ以上になったか、あるいは所定の通電停止時間である１８時間が経過したかのいずれか早い時間に到達したと判断したら、気化ヒータ２５への通電を停止することで、気化ヒータ２５での消費電力を抑制することができる。
【００３４】
また、図８の（２）の波線で示すように、予熱スイッチ３３が操作されてから運転スイッチ３１が操作されるまでの待機時間がμからμ＋σの間は所定の温度低下率で気化器２４の予熱温度を低下させ、μ＋σ以降は予熱動作の経過時間がμ＋３σ以上になる時点かあるいは経過時間が１８時間になる時点かのいずれか早い時点で気化器２４の予熱温度が最低予熱温度となるよう予熱温度を低下させ続ける制御であってもよく、気化器２４の予熱温度が最低予熱温度になるまでの時間が（１）に比べて増えるため、前記待機時間がμ＋３σかあるいは１８時間が経過する前に運転スイッチ３１を操作した時における暖房運転の開始時間を早めることができる。
【００３５】
以上のように、予熱スイッチ３３が操作されてから運転スイッチ３１が操作されるまでの待機時間を１０回以上記憶して待機時間の平均値μと標準偏差σを統計値算出手段４６で算出し、待機時間がμ以上であると判断したら気化器２４の予熱温度を温度低下率Ｙで低下させ、待機時間がμ＋σ以上であると判断したら気化器２４の予熱温度を温度低下率Ｘで低下させるので、予熱スイッチ３３を操作してから運転スイッチ３１を操作しない状態が継続しても、経過した待機時間に応じて気化器２４の予熱温度が低下するため、予熱動作中の気化ヒータ２５での消費電力を抑制することができる。
【００３６】
また、予熱動作の待機時間がμからμ＋σの間における温度低下率よりも、μ＋σ以降の温度低下率の方が大きくなるようにしたことで、予熱スイッチ３３を操作した後に運転スイッチ３１が操作される可能性が低い時の温度低下率が大きいため、予熱動作中に運転スイッチ３１が操作される可能性が高い時は暖房運転の開始時間を早めることができ、予熱動作中に運転スイッチ３１が操作される可能性が低い時は気化ヒータ２５での消費電力を抑えて節電効果を高めることができる。
【００３７】
また、予熱動作の待機時間がμ＋３σ以上になった時点か予熱動作開始から１８時間を経過した時点かのいずれか早い時点に到達したら気化ヒータ２５の通電を停止するので、予熱動作中に運転スイッチ３１が操作される可能性が低いと判断したら気化ヒータ２５の通電を停止するため、気化ヒータ２５での消費電力を抑えて節電効果を高めることができる。
【００３８】
なお、本実施形態で説明した予熱動作中における気化器２４の予熱温度の温度低下率に関する制御は一例であり、例えば、予熱動作の待機時間がμ以上になったと判断したら、待機時間がμ＋３σか１８時間になる時点で気化器２４が最低予熱温度となるように一定の温度低下率で予熱温度を低下させる制御であってもよく、また、待機時間がμ＋３σになる時点や１８時間になる時点で気化ヒータ２５の通電量が０となる温度低下率で予熱温度を低下させる制御であってもよい。
【００３９】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４０】
１    器具本体
１２    バーナ（燃焼部）
２４    気化器
２５    気化ヒータ
３１    運転スイッチ
３３    予熱スイッチ
４４    制御部
４６    統計値算出手段
４７    時間算出手段
【図１】
2016090065.tif 000003
【図２】
2016090065.tif 000004
【図３】
2016090065.tif 000005
【図４】
2016090065.tif 000006
【図５】
2016090065.tif 000007
【図６】
2016090065.tif 000008
【図７】
2016090065.tif 000009
【図８】
2016090065.tif 000010